(57)【特許請求の範囲】
【請求項１】
トランス部分と、リアクトル部分と、を備えるコイル部品であって、
前記トランス部分は、
一次側中空部の周囲を平角線が巻回されることにより形成される一次巻線部と、
前記一次側中空部に連通する二次側中空部の周囲を平角線が巻回されることにより形成され、前記一次巻線部の一方側と他方側とにそれぞれ対向する状態で一対配置される二次巻線部と、
前記一次側中空部および前記二次側中空部に挿通される第１コアと、
を備えていて、
前記リアクトル部分は、
前記二次巻線部を構成する前記平角線のうち一方の端末側を延伸し、リアクトル側中空部の周囲を前記平角線が巻回されることにより形成されるリアクトル巻線部と、
前記リアクトル側中空部に挿通される第２コアと、
を備えると共に、
前記トランス部分および前記リアクトル部分は、それぞれ、ベースおよびカバーによって支持されていて、
前記ベースには、台座部と、その台座部から延伸すると共に前記一次側中空部または前記二次側中空部に挿通される中空支持部が設けられていて、
前記カバーには、前記中空支持部を受け止める段差部を有すると共に前記第１コアまたは前記第２コアの少なくとも一部の位置決めを行う上方位置決め部と、この上方位置決め部の両端から延伸して前記第１コアまたは前記第２コアの少なくとも一部の位置決めを行いつつ前記中空支持部と対向する側方位置決め部とが設けられていて、
前記トランス部分の前記一次巻線部および前記二次巻線部、または前記リアクトル部分の前記リアクトル巻線部は、前記台座部と前記中空支持部と前記上方位置決め部と前記側方位置決め部とで囲まれた空間を挿通している、
ことを特徴とするコイル部品。
【請求項２】
請求項１記載のコイル部品であって、
前記第２コアは、２つのコア部材が磁気ギャップ部材を介して突き合わされて構成されている、
ことを特徴とするコイル部品。
【請求項３】
請求項１または２記載のコイル部品であって、
前記二次巻線部は、複数の前記平角線が隣接する状態で巻回されると共に、
前記リアクトル巻線部も、その複数の前記平角線が隣接する状態で巻回される、
ことを特徴とするコイル部品。
【請求項４】
請求項１または２記載のコイル部品であって、
前記一次巻線部および前記二次巻線部のうちの少なくとも一方は、小径の巻線部分の外周側に、それよりも大径の巻線部分が隣接する状態で配置される部位を有している、
ことを特徴とするコイル部品。
【請求項５】
請求項１から４のいずれか１項に記載のコイル部品であって、
前記第１コアによって形成される第１磁路と、前記第２コアによって形成される第２磁路とは、略平行または略垂直に設けられている、
ことを特徴とするコイル部品。
【請求項６】
請求項５記載のコイル部品であって、
前記第１磁路と前記第２磁路とは、略垂直に設けられていて、
前記第１コアは、柱状の連結基部の両端の各々に外脚を立設すると共にそれらの両外脚の間に中脚を立設しているＥ型コアを２つ突き合わせて構成され、その突き合わせは前記中脚を前記一次側中空部および前記二次側中空部に挿通させる状態でなされ、
前記第２コアは、連結部とその連結部に連結されると共に互いに対向する一対の外脚とを備えるＵ型コアを２つ突き合わせて構成され、その突き合わせは一方の前記外脚を前記リアクトル側中空部に挿通させると共に他方の前記外脚を前記第１コアから離れる側に位置する状態でなされている、
ことを特徴とするコイル部品。
【請求項７】
請求項１記載のコイル部品であって、
前記第１コアは、連結基部と、当該連結基部の両端からそれぞれ立設している外脚と、前記連結基部のうち一対の前記外脚の間から立設している中脚とを備えるＥ型コアを突き合わせて構成され、
前記第２コアは、連結基部と、当該連結基部の両端からそれぞれ立設している外脚と、前記連結基部のうち一対の前記外脚の間から立設している中脚とを備えるＥ型コアを突き合わせて構成されると共に、
前記中空支持部は、前記中脚を支持すると共に、
前記上方位置決め部は前記連結基部の位置決めを行い、前記側方位置決め部は前記外脚の位置決めを行うと共に、
前記上方位置決め部には、前記中脚を挿通させる貫通孔が設けられていて、前記貫通孔のうち前記中空支持部が位置する側の周囲には、前記段差部が設けられている、
ことを特徴とするコイル部品。
【請求項８】
請求項１から７のいずれか１項に記載のコイル部品であって、
前記一次巻線部、前記二次巻線部および前記リアクトル巻線部のうち、少なくとも１つ
の巻線部は、エッジワイズ巻きにより構成されている、
ことを特徴とするコイル部品。
【発明の詳細な説明】
【技術分野】
【０００１】
本発明は、コイル部品に関する。
【背景技術】
【０００２】
たとえば、特許文献１には、異なる機能のコイル部品が、同じベースプレート上に取り付けられている構成が開示されている。この特許文献１には、メイントランスとチョークコイルとが、それぞれ別々にベースプレートに取り付けられている構成が開示されている。
【先行技術文献】
【特許文献】
【０００３】
【特許文献１】特開２０１０−２５１３６４号公報（図１１等参照）
【発明の概要】
【発明が解決しようとする課題】
【０００４】
ところで、特許文献１の構成では、メイントランスやチョークコイルといったコイルを用いた部品は、ネジやボルト等の締結手段を介して、それぞれ別々に取り付けられている。このため、取り付けに際して必要とされる締結手段の個数が多くなり、それに伴って取り付けのための工数も多くなってしまう。
【０００５】
また、たとえば振動が付与される環境下では、締結手段は、長期に亘って使用すると、緩んでしまう虞がある。そのため、メイントランスやチョークコイルといった、コイルを用いた部品を取り付ける場合には、締結手段の個数は少ない方が望ましい。しかしながら、特許文献１の構成では、コイルを用いた部品は、それぞれ別個独立に取り付けられるため、締結手段の個数を減らすことには限界がある。
【０００６】
本発明は、かかる問題に鑑みてなされたものであり、その目的とするところは、基板への取り付けの際に要するネジ等の締結手段の個数を低減することが可能なコイル部品を提供しようとするものである。
【課題を解決するための手段】
【０００７】
上記課題を解決するために、本発明のコイル部品の一側面は、トランス部分と、リアクトル部分と、を備えるコイル部品であって、トランス部分は、一次側中空部の周囲を平角線が巻回されることにより形成される一次巻線部と、一次側中空部に連通する二次側中空部の周囲を平角線が巻回されることにより形成され、一次巻線部の一方側と他方側とにそれぞれ対向する状態で一対配置される二次巻線部と、一次側中空部および二次側中空部に挿通される第１コアと、を備えていて、リアクトル部分は、二次巻線部を構成する平角線のうち一方の端末側を延伸し、リアクトル側中空部の周囲を平角線が巻回されることにより形成されるリアクトル巻線部と、リアクトル側中空部に挿通される第２コアと、を備えると共に、トランス部分およびリアクトル部分は、それぞれ、ベースおよびカバーによって支持されていて、ベースには、台座部と、その台座部から延伸すると共に一次側中空部または二次側中空部に挿通される中空支持部が設けられていて、カバーには、中空支持部を受け止める段差部を有すると共に第１コアまたは第２コアの少なくとも一部の位置決めを行う上方位置決め部と、この上方位置決め部の両端から延伸して第１コアまたは第２コアの少なくとも一部の位置決めを行いつつ中空支持部と対向する側方位置決め部とが設けられていて、トランス部分の一次巻線部および二次巻線部、またはリアクトル部分のリアクトル巻線部は、台座部と中空支持部と上方位置決め部と側方位置決め部とで囲まれた空間を挿通している、ことを特徴としている。
【０００８】
また、本発明のコイル部品の他の側面は、上述の発明に加えて更に、第２コアは、２つのコア部材が磁気ギャップ部材を介して突き合わされて構成されている、ことが好ましい。
【０００９】
さらに、本発明のコイル部品の他の側面は、上述の発明に加えて更に、二次巻線部は、複数の平角線が隣接する状態で巻回されると共に、リアクトル巻線部も、その複数の平角線が隣接する状態で巻回される、ことが好ましい。
【００１０】
また、本発明のコイル部品の他の側面は、上述の発明に加えて更に、一次巻線部および二次巻線部のうちの少なくとも一方は、小径の巻線部分の外周側に、それよりも大径の巻線部分が隣接する状態で配置される部位を有している、ことが好ましい。
【００１１】
さらに、本発明のコイル部品の他の側面は、上述の発明に加えて更に、第１コアによって形成される第１磁路と、第２コアによって形成される第２磁路とは、略平行または略垂直に設けられている、ことが好ましい。
【００１２】
また、本発明のコイル部品の他の側面は、上述の発明に加えて更に、第１磁路と第２磁路とは、略垂直に設けられていて、第１コアは、柱状の連結基部の両端の各々に外脚を立設すると共にそれらの両外脚の間に中脚を立設しているＥ型コアを２つ突き合わせて構成され、その突き合わせは中脚を一次側中空部および二次側中空部に挿通させる状態でなされ、第２コアは、連結部とその連結部に連結されると共に互いに対向する一対の外脚とを備えるＵ型コアを２つ突き合わせて構成され、その突き合わせは一方の外脚をリアクトル側中空部に挿通させると共に他方の外脚を第１コアから離れる側に位置する状態でなされている、ことが好ましい。
【００１３】
さらに、本発明のコイル部品の他の側面は、上述の発明に加えて更に、第１コアは、連結基部と、当該連結基部の両端からそれぞれ立設している外脚と、連結基部のうち一対の外脚の間から立設している中脚とを備えるＥ型コアを突き合わせて構成され、第２コアは、連結基部と、当該連結基部の両端からそれぞれ立設している外脚と、連結基部のうち一対の外脚の間から立設している中脚とを備えるＥ型コアを突き合わせて構成されると共に、中空支持部は、中脚を支持すると共に、上方位置決め部は連結基部の位置決めを行い、側方位置決め部は外脚の位置決めを行うと共に、上方位置決め部には、中脚を挿通させる貫通孔が設けられていて、貫通孔のうち中空支持部が位置する側の周囲には、段差部が設けられている、ことを特徴としている。
【００１４】
また、本発明のコイル部品の他の側面は、上述の発明に加えて更に、一次巻線部、二次巻線部およびリアクトル巻線部のうち、少なくとも１つの巻線部は、エッジワイズ巻きにより構成されている、ことが好ましい。
【発明の効果】
【００１５】
本発明によると、コイル部品において、基板への取り付けの際に要するネジ等の締結手段の個数を低減することが可能となる。
【図面の簡単な説明】
【００１６】
【図１】本発明の一実施の形態に係るコイル部品の構成を示す斜視図である。
【図２】図１のコイル部品のうちベースの構成を示す斜視図である。
【図３】図１のコイル部品のうちカバーの構成を示す斜視図である。
【図４】図１のコイル部品のうちＥ型コアの構成を示す斜視図である。
【図５】リアクトル巻線部と二次巻線部とが一体的である第１巻線構造体の構成を示す斜視図である。
【図６】図１のコイル部品を用いた電気回路の一例を示す図である。
【発明を実施するための形態】
【００１７】
以下、本発明の一実施の形態に係る、コイル部品１０について、図面に基づいて説明する。
【００１８】
なお、以下の説明においては、後述する中空支持部２１３の延出方向を上下方向（Ｚ方向）とし、上下方向（Ｚ方向）においてカバー２４の上方位置決め部２４１が位置する側を上側（Ｚ１側）、それとは逆のベース２１の脚部２１２が位置する側を下側（Ｚ２側）とする。また、トランス部分２０とリアクトル部分３０とが並ぶ方向をＸ方向とし、トランス部分２０に対してリアクトル部分３０が位置する側をＸ１側、それとは逆側をＸ２側とする。また、Ｘ方向およびＺ方向に直交する方向をＹ方向とし、図１において奥側をＹ１側、それとは逆の手前側をＹ２側とする。
【００１９】
＜コイル部品１０の構成について＞
図１は、コイル部品１０の構成を示す斜視図である。この図１に示すように、コイル部品１０は、トランス部分２０と、リアクトル部分３０とを備えている。トランス部分２０は、ベース２１と、一次巻線部２２と、二次巻線部２３Ａ，２３Ｂと、カバー２４と、Ｅ型コア２５とを備えている。
【００２０】
図２はベース２１の構成を示す斜視図である。ベース２１は、トランス部分２０の各部材を支持する部分である。このベース２１には、台座部２１１と、脚部２１２と、中空支持部２１３とを備えている。台座部２１１は、二次巻線部２３Ａが載置される部分である。ただし、ベース２１には二次巻線部２３Ａが直接載置される構成とはせずに、スペーサ等の別途の部材を介して載置される構成を採用しても良い。本実施の形態では、台座部２１１は、その平面形状が矩形状に設けられていると共に、矩形状の中央側に中空支持部２１３と連通する貫通孔（不図示）が設けられている。
【００２１】
台座部２１１の下方側（Ｚ２側）には、脚部２１２が設けられている。脚部２１２は、ベース２１の安定性を高めるべく、台座部２１１よりもＹ方向に突出するように設けられている。本実施の形態では、脚部２１２は、台座部２１１の四隅にそれぞれ設けられている。
【００２２】
なお、本実施の形態では、ベース２１を側面視すると、台座部２１１のうち中空支持部２１３の下方側（Ｚ２側）には、嵌合凹部２１１ａが設けられていて、この嵌合凹部２１１ａにはＥ型コア２５（Ｅ型コア２５ａ）が嵌め込まれる。また、Ｘ方向における脚部２１２の間隔は、嵌合凹部２１１ａと同程度に設けられている。
【００２３】
台座部２１１からは、上下方向（Ｚ方向）に向かい中空支持部２１３が延伸している。中空支持部２１３は、中空状の支柱部分である。この中空支持部２１３の中空部２１３ａには、一対のＥ型コア２５の中脚２５３がそれぞれ配置される。また、中空支持部２１３の外周側には、下方側（Ｚ２側）から上方側（Ｚ１側）に向かい、二次巻線部２３Ａ、一次巻線部２２および二次巻線部２３Ｂがこの順序で配置される。なお、二次巻線部２３Ａと一次巻線部２２の間、および一次巻線部２２と二次巻線部２３Ｂの間には、絶縁部材２６が配置されている。
【００２４】
図１に示すように、台座部２１１には、二次巻線部２３Ａが載置される。二次巻線部２３Ａは、所定回数の平角線Ｈのアルファ巻きかつエッジワイズ巻きを行うことにより形成されている。このとき、巻回部分の内周側に存在する二次側中空部（図示省略）は中空支持部２１３の外周側に位置している。本実施の形態では、二次巻線部２３Ａは、２本の平角線ＨがＸＹ平面において並ぶ（横に並ぶ）状態で巻回されている。それにより、導体部分の表面積が大きくなるので、表皮効果に対応させることが可能となる。
【００２５】
しかしながら、二次巻線部２３Ａは、２本の平角線Ｈが横に並ぶ状態で巻回されなくても良く、１本の平角線Ｈのみから構成されていても良く、３本以上の平角線Ｈが横に並ぶ状態で巻回されていても良い。また、２本以上の平角線Ｈが横に並ばずに、上下方向に並ぶ状態で平角線Ｈが巻回されていても良い。
【００２６】
二次巻線部２３Ａを構成する平角線Ｈの端末の一端側は、リアクトル部分３０へは向かわずに、二次巻線部２３Ａとは異なる向きに向かって突出し、二次巻線部２３Ｂの端末の一端側と接続される（図示省略）一方、二次巻線２３Ａを構成する平角線Ｈの端末の他端側は、リアクトル部分３０側へ向かって延伸している。そして、後述するように、二次巻線部２３Ａの他端側は、リアクトル部分３０のリアクトル巻線部３２と連続している。
【００２７】
図１に示すように、二次巻線部２３Ａの上方側（Ｚ１側）には、絶縁部材２６を介して一次巻線部２２が載置されている。一次巻線部２２も所定回数の平角線Ｈのアルファ巻きかつエッジワイズ巻きを行うことにより形成されている。このとき、巻回部分の内周側に存在する一次側中空部（図示省略）は中空支持部２１３の外周側に位置している。
【００２８】
一次巻線部２２は、二次巻線部２３Ａ，２３Ｂと共にトランスを構成し、これらの間で相互誘導を行う。そのため、一次巻線部２２は、相互誘導に応じた所望の巻線数だけ平角線Ｈを巻回することにより形成されている。なお、一次巻線部２２は、後述する第１巻線構造体１００（図５参照）とは別の巻線構造体（第２巻線構造体；図示省略）であり、その第２巻線構造体における第３巻線部が、トランス部分２０の一次巻線部２２として用いられている。なお、上述した一次側中空部は、第３中空部に対応する。
【００２９】
図１に示すように、一次巻線部２２の上方側（Ｚ１側）には、絶縁部材２６を介して二次巻線部２３Ｂが載置されている。二次巻線部２３Ｂは、上述した二次巻線部２３Ａと同等の巻線数となるように形成されている。また、二次巻線部２３Ｂの巻線の向きは、二次巻線部２３Ａと同じ向きの磁界を生じさせるような巻線の向きとなっている。二次巻線部２３Ａ，２３Ｂの二次側中空部と、一次巻線部２２の一次側中空部とに、中空支持部２１３を挿通させることにより、二次巻線部２３Ａ，２３Ｂと一次巻線部２２の巻線部分の中心部分は一致している。しかしながら、それらの中心部分が多少ずれていても良い。
【００３０】
なお、二次巻線部２３Ｂは、上述した二次巻線部２３Ａと同様に、２本の平角線ＨがＸＹ平面において並ぶ（横に並ぶ）状態で巻回されている。しかしながら、二次巻線部２３Ｂは、１本の平角線Ｈのみから構成されていても良く、３本以上の平角線Ｈが横に並ぶ状態で巻回されていても良く、２本以上の平角線Ｈが横に並ばずに、上下方向に並ぶ状態で平角線Ｈが巻回されていても良い。
【００３１】
図３に示すように、カバー２４は、ベース２１にＥ型コア２５を取り付けるための部材であり、そのためカバー２４は、二次巻線部２３Ｂの上方側（Ｚ１側）の一部を覆うように設けられていると共に、一次巻線部２２と二次巻線部２３Ａ，２３Ｂの外周側の一部を覆うように設けられている。また、カバー２４は、Ｅ型コア２５と、一次巻線部２２および二次巻線部２３Ａ，２３Ｂの間を絶縁するための部材である。このカバー２４は、Ｅ型コア２５の形状に対応した形状に形成されている。そのため、カバー２４を側面視すると、略Ｃ字形状をなすように設けられている。
【００３２】
カバー２４には、上方位置決め部２４１と、側方位置決め部２４２とが設けられている。上方位置決め部２４１は、二次巻線部２３Ｂの上方側（Ｚ１側）に位置し、Ｅ型コア２５の連結基部２５１の位置決めを行うものである。そのような位置決めを行うために、上方位置決め部２４１には、底板部２４１ａが設けられ、さらにその底板部２４１ａの幅方向の両側からは、上方に向かい一対のフランジ部２４１ｂが立設されており、その一対のフランジ部２４１ｂの間隔が連結基部２５１に対応している。それにより、連結基部２５１の位置決めがなされる。
【００３３】
底板部２４１ａの長手方向の中央には、貫通孔２４１ａ１が設けられている。貫通孔２４１ａ１は、Ｅ型コア２５の中脚２５３を挿通させるための孔である。ここで、底板部２４１ａの下面側においては、貫通孔２４１ａ１は、段付き形状に設けられている。すなわち、底板部２４１ａの下面側のうち、貫通孔２４１ａ１の周囲には、段差部２４１ａ２が設けられている。この段差部２４１ａ２は、中空支持部２１３の上縁側を受け止めて、それ以上の上方側（Ｚ１側）への移動を規制する部分である。そのため、段差部２４１ａ２の段差面よりも上方側（Ｚ１側）では、それよりも下方側（Ｚ２側）と比較して、貫通孔２４１ａ１の開口面積が小さく設けられている。
【００３４】
上方位置決め部２４１の長手方向の両端からは、それぞれ側方位置決め部２４２が下方側（Ｚ２側）に向かって延伸している。側方位置決め部２４２は、Ｅ型コア２５の外脚２５２の位置決めを行う部分である。そのため、側方位置決め部２４２は、上方位置決め部２４１と同様に、底板部２４２ａと、一対のフランジ部２４２ｂとを有している。
【００３５】
Ｅ型コア２５は、フェライト、アモルファス、ケイ素鋼板等の磁性材料を材質として形成されている。Ｅ型コア２５は、柱状の連結基部２５１の両端の各々に外脚２５２を立設すると共に、それらの両外脚２５２の間に中脚２５３を立設したタイプのコアである。このＥ型コア２５は一対設けられていて、その外脚２５２と中脚２５３とが突き合わされる配置となっている。以下の説明では、一対のＥ型コア２５のうち、下方側（Ｚ２側）に位置するＥ型コア２５を、Ｅ型コア２５ａと称呼し、上方側（Ｚ１側）に位置するＥ型コア２５を、Ｅ型コア２５ｂと称呼する。なお、Ｅ型コア２５は、第１コアに対応する。しかしながら、突き合わされた一対のＥ型コア２５が、第１コアに対応するものとしても良い。
【００３６】
下方側（Ｚ２側）のＥ型コア２５ａのうち、中脚２５３は中空支持部２１３の中空部２１３ａに挿通されると共に、連結基部２５１は嵌合凹部２１１ａに嵌め込まれる。このとき、Ｅ型コア２５ａの連結基部２５１の両端側は、嵌合凹部２１１ａから外方側に延出する。そのため、外脚２５２は、嵌合凹部２１１ａから飛び出し、一対の脚部２１２の間に位置し、そこから上方側（Ｚ１側）に向かって延伸している。
【００３７】
また、上方側（Ｚ１側）のＥ型コア２５ｂのうち、中脚２５３は中空支持部２１３の中空部２１３ａに挿通されると共に、連結基部２５１は上方位置決め部２４１に嵌め込まれる。さらに、外脚２５２は、それぞれ側方位置決め部２４２に嵌め込まれる。ここで、下方側（Ｚ２側）のＥ型コア２５ａと、上方側（Ｚ１側）のＥ型コア２５ｂとでは、中脚２５３同士が突き合わされると共に、外脚２５２同士も突き合わされる。
【００３８】
次に、リアクトル部分３０について説明する。リアクトル部分３０は、上述したトランス部分２０と同様の、ベース３１と、カバー３４と、Ｅ型コア３５とを備えている。したがって、これらについては、相違部分についてのみ説明し、その他の説明は省略する。
【００３９】
一方で、リアクトル部分３０では、リアクトル巻線部３２が相違している。リアクトル巻線部３２は、二次巻線部２３Ａ，２３Ｂからそれぞれ延伸する平角線Ｈを巻回して、所望のＬを得るように形成されている。
【００４０】
本実施の形態では、平角線Ｈを巻回して巻線部分をする際に、二次巻線部２３（２３Ａ，２３Ｂ）とリアクトル巻線部３２とで切断することなく、それらが一体的となるように形成されている。この状態を、図５に示す。図５は、リアクトル巻線部３２と二次巻線部２３Ａとが一体的である第１巻線構造体１００の構成を示す斜視図である。なお、図５では、２つの平角線Ｈが隣接する状態となっており、それらが第１巻線構造体１００に対応するものとしても良いが、１本の平角線Ｈのみの巻回によって形成されるものが、第１巻線構造体１００に対応するものとしても良い。
【００４１】
図５に示すように、リアクトル巻線部３２は、二次巻線部２３Ａと一体的に設けられており、その一体的な構成が第１巻線構造体１００に対応している。ここで、第１巻線構造体１００は、第１中空部１１１の周囲に平角線Ｈが巻回されることによって形成される第１巻線部１１０と、第２中空部１２１の周囲に平角線Ｈが巻回されることによって形成される第２巻線部１２０という、それぞれ別の磁路を形成可能な２つの巻線部分を備えている。また第１巻線構造体１００は、これら第１巻線部１１０と第２巻線部１２０を接続する継線部１３０を備えている。そのうち、第１巻線部１１０は二次巻線部２３Ａとして用いられ、第２巻線部１２０はリアクトル巻線部３２として用いられる。
【００４２】
なお、二次巻線部２３Ｂとリアクトル巻線部３２とが一体的に設けられた構成も図５と同様であり、かかる構成も第１巻線構造体１００に対応する。また、第１中空部１１１は、二次巻線部２３Ａ，２３Ｂにおける二次側中空部に対応し、第２中空部１２１は、リアクトル巻線部３２におけるリアクトル側中空部に対応している。
【００４３】
リアクトル巻線部３２も所定回数の平角線Ｈのアルファ巻きかつエッジワイズ巻きを行うことにより形成されている。このとき、巻回部分の内周側に存在するリアクトル側中空部（図示省略）はベース３１の中空支持部３１３の外周側に位置している。なお、一対のリアクトル巻線部３２は、共に同じ向きの磁界を生じさせるような巻線の向きとなっている。また、一対のリアクトル巻線部３２は、同等の巻数に形成されるのが好ましいが、巻数が異なっていても良い。
【００４４】
また、一対のＥ型コア３５は、互いに突き合わされるが、その突き合わせ部位には、非磁性材料から形成される磁気ギャップ部材３５４が存在している。すなわち、磁気ギャップ部材３５４は、外脚３５２の突き合わせ部位と、中脚３５３の突き合わせ部位に存在していて、磁気飽和を抑制するようにしている。
【００４５】
なお、Ｅ型コア３５は、第２コアに対応するが、磁気ギャップ部材３５４を介して突き合わされた一対のＥ型コア３５を第２コアとしても良い。また、それぞれのＥ型コア３５は、コア部材に対応するものとしても良い。また、Ｅ型コア３５は、Ｅ型コア２５と同じ材質としても良いが、所望のインダクタンスＬを得るために異なる材質としても良い。また、Ｅ型コア３５は、Ｅ型コア２５とは大きさおよび形状が異なっていても良い。
【００４６】
ここで、図１に示すコイル部品１０を用いた部分的な電気回路の一例を、図６に示す。図６に示すように、一次巻線部２２には、一対の二次巻線部２３Ａ，２３Ｂが対向する状態で配置されている。なお、図６では、二次巻線部２３Ａと二次巻線部２３Ｂとは、中間タップ２３Ａ１，２３Ｂ１で接続されている。中間タップ２３Ａ１，２３Ｂ１は、二次巻線部２３Ａ，２３Ｂのうち、リアクトル巻線部３２側に延伸される端末とは反対側の端末が対応している。そして、それぞれの二次巻線部２３Ａ，２３Ｂには、リアクトル巻線部３２がそれぞれ接続されている。
【００４７】
図６において、一次巻線部２２に交番電流が導通されると、一対のＥ型コア２５には、磁路（第１磁路に対応）が形成され、その磁路によって二次巻線部２３Ａ，２３Ｂが励磁される。すると、一対の二次巻線部２３Ａ，２３Ｂを導通する電流は、一対のリアクトル巻線部３２にも導通される。それにより、一対のＥ型コア３５には、磁路（第２磁路に対応）が形成される。
【００４８】
なお、図６に示す構成では、二次巻線部２３Ａと二次巻線部２３Ｂとは、中間タップ２３Ａ１，２３Ｂ１で接続されているが、そのような接続を行わずに、二次巻線部２３Ａと二次巻線部２３Ｂとを別個独立として、それぞれ別系統の電流を導通させるものとしても良い。
【００４９】
＜効果＞
以上のような構成のコイル部品１０においては、二次巻線部２３Ａ，２３Ｂの一方の端末側を延伸して、リアクトル巻線部３２が一体的に形成されている。このように、トランス部分２０とリアクトル部分３０とが一体化されるので、トランス部分２０とリアクトル部分３０とを実装基板に取り付ける際には、トランス部分２０とリアクトル部分３０とは別個独立に取り付けられずに済む。それにより、ネジやボルト等の締結手段の個数を低減することが可能となる。また、ネジやボルト等の締結手段の個数が低減されることにより、その締結手段を取り付けるための工数も減らすことが可能となる。
【００５０】
また、ネジやボルト等の締結手段を用いる場合、長期に亘る使用により、締結手段が緩んでしまう虞がある。特に、各種の車両を始めとして振動が付与される環境下では、多数の締結手段のうちの一部が緩んでしまう虞がある。しかしながら、本実施の形態では、用いられる締結手段の個数を低減することが可能であるため、そのような締結手段の緩みが生じる可能性を低減することが可能となる。
【００５１】
また、本実施の形態では、一対のＥ型コア３５は、磁気ギャップ部材３５４を介して突き合わされている。そのため、それぞれのＥ型コア３５において磁気飽和が生じるのを抑制することが可能となる。
【００５２】
さらに、本実施の形態では、二次巻線部２３Ａ，２３Ｂは、複数（図１では２つ）の平角線Ｈが隣接する状態で巻回されると共に、リアクトル巻線部３２も、複数（図１では２つ）の平角線Ｈが隣接する状態で巻回されている。そのため、平角線Ｈの導体部分の表面積が大きくなり、高周波電流を導通させた場合等に生じる表皮効果に対応させることが可能となる。
【００５３】
また、本実施の形態では、一対のＥ型コア２５によって形成される磁路（第１磁路）と、一対のＥ型コア３５によって形成される磁路（第２磁路）とが、略平行に設けられている。そのため、一対のＥ型コア２５と一対のＥ型コア３５との間には、所定のスペースを設けることができ、第１磁路と第２磁路とが互いに影響するのを低減することが可能となる。また、一対のＥ型コア２５の長手方向と一対のＥ型コア３５の長手方向とが略平行な配置となるため、コイル部品１０を全体的にコンパクト化することが可能となる。
【００５４】
さらに、本実施の形態では、平角線Ｈを巻回することにより形成される第１巻線構造体１００は、二次巻線部２３Ａ，２３Ｂとなる第１巻線部１１０と、リアクトル巻線部３２となる第２巻線部１２０と、それらの間を接続する継線部１３０とを備えている。これと共に、平角線Ｈを巻回することにより形成される第２巻線構造体では、その巻線部分（第３巻線部）が、トランス部分２０の一次巻線部２２として用いられる。そのため、第１巻線構造体１００では、二次巻線部２３Ａ，２３Ｂやリアクトル巻線部３２といった巻線部分と、それらを接続すると共に電流を導通させる部分となる継線部１３０との一体化により、実装基板側で導電部分が不要となり、コイル部品１０を含めたユニット全体でのコンパクト化が可能となる。
【００５５】
また、本実施の形態では、一次巻線部２２、二次巻線部２３Ａ，２３Ｂおよびリアクトル巻線部３２のそれぞれエッジワイズ巻きにより構成されている。そのため、それぞれの巻線部分では、エッジワイズ曲げによって巻線状態の形状を維持可能となる。また、平角線Ｈを用いる場合には、丸線を巻回する場合と比較して、導電部分の断面積を大きくすることが可能となる。また、高周波電流を導通させる場合の浮遊容量を小さくすることも可能となる。
【００５６】
＜変形例＞
以上、本発明の一実施の形態について説明したが、本発明はこれ以外にも種々変形可能となっている。以下、それについて述べる。
【００５７】
上述の実施の形態においては、複数（図１では２つ）の平角線Ｈが隣接する状態で、巻回されている。しかしながら、次のように構成しても良い。すなわち、１つの平角線Ｈについて、１巻き分の巻回パターンの内径が大きいもの、中程度のもの、小さいものが、その順番で重ねられる配置としても良い。その場合、異なる内径の巻回パターンの少なくとも一部が、同一平面に存在するようにすれば、その平角線Ｈの巻回部分の高さを抑えることが可能となる。なお、そのような巻線部分としては、一次巻線部２２、二次巻線部２３Ａ，２３Ｂおよびリアクトル巻線部３２のいずれであっても良い。また、１巻き分の巻回パターンの内径の種類については、大きいもの、中程度のもの、小さいものといった３種類には限られず、２種類であっても良く、４種類以上であっても良い。
【００５８】
また、上述の実施の形態においては、一次巻線部２２と二次巻線部２３Ａ，２３Ｂが、共に複数（図１では２つ）の平角線Ｈが隣接する状態で、巻回されている。しかしながら、一次巻線部２２のみが、複数（図１では２つ）の平角線Ｈが隣接する状態で巻回されても良く、また二次巻線部２３Ａ，２３Ｂのみが、複数（図１では２つ）の平角線Ｈが隣接する状態で巻回されても良い。
【００５９】
また、上述の実施の形態では、一対のＥ型コア２５によって形成される磁路（第１磁路）と、一対のＥ型コア３５によって形成される磁路（第２磁路）とが、略平行に設けられている構成について説明している。しかしながら、第１磁路と第２磁路とが、略直交する構成を採用しても良い。この場合において、たとえば、第１コアと第２コアのうちの少なくとも一方に、Ｅ型コアではなくＵ型コアを用いるようにしても良い。
【００６０】
ここで、Ｕ型コアとは、平面視したとき形状がＵ字形状となるように、一対の脚部とそれら一対の脚部を結ぶ連結部とを有するコアである。このようなＵ型コアを用いる場合においては次のように配置することが可能である。たとえば、Ｅ型コアの長手方向（外脚の並ぶ方向）はＹ方向に平行とし、Ｕ型コアの脚部の並ぶ方向はＸ方向に沿う状態とする。これと共に、Ｕ型コアの脚部の一方を巻線部分の中空部分に挿通させ、Ｕ型コアの脚部の他方が、Ｘ方向においてＥ型コアから離れる位置に配置させる。このようにすれば、第１磁路は、そのほとんどがＹＺ平面内に存在し、第２磁路は、そのほとんどがＸＺ平面内に存在する状態となる。そのため、トランス部分とリアクトル部分の隣接する間隔を狭めながらも、第１磁路と第２磁路とが干渉するのを低減可能となる。
【００６１】
また、上述の実施の形態では、一次巻線部２２、二次巻線部２３Ａ，２３Ｂ、およびリアクトル巻線部３２のそれぞれは、平角線Ｈをエッジワイズ巻きすることにより構成されている。しかしながら、一次巻線部２２、二次巻線部２３Ａ，２３Ｂ、およびリアクトル巻線部３２のうちの全てをエッジワイズ巻きで形成する必要はなく、これらのうちの少なくとも１つをエッジワイズ巻きする構成としても良い。
【符号の説明】
【００６２】
１０…コイル部品
２０…トランス部分
２１，３１…ベース
２２…一次巻線部
２３Ａ，２３Ｂ…二次巻線部
２４，３４…カバー
２５，２５ａ，２５ｂ…Ｅ型コア（第１コアに対応）
２６…絶縁部材
３０…リアクトル部分
３２…リアクトル巻線部
３５…Ｅ型コア（第２コアに対応）
１００…巻線構造体
１１０…第１巻線部
１２０…第２巻線部
１３０…継線部
２１１…台座部
２１３，３１３…中空支持部
２４１…上方位置決め部
２４２…側方位置決め部
２５２，３５２…外脚
２５３，３５３…中脚
３５４…磁気ギャップ部材
【図１】
0005940504.tif 000002
【図２】
0005940504.tif 000003
【図３】
0005940504.tif 000004
【図４】
0005940504.tif 000005
【図５】
0005940504.tif 000006
【図６】
0005940504.tif 000007